(57)【要約】      （修正有） 【課題】輸送時、表面を外側とし、起立支持体を内部に折り畳んで輸送時形態とでき、展開したとき、起立して簡単に展示できる展示用表示体を提供する。【解決手段】広告表示面１Ａが露出する広告表示形態と、輸送時表面が露出する輸送時形態となる展示用表示体で、該展示用表示体は、横折り目２で区分された上部板状部３および下部板状部４と、前記上部板状部および前記下部板状部の表面側の前記広告表示面１Ａと、前記上部板状部の縦折り目６ａ、６ｂで区分された第１の上側板部８ａおよび第２の上側板部８ｂと、前記上部板状部と前記第１の上側板部と前記第２の上側板部の裏面側で構成される前記輸送時表面１Ｂとを備える板状本体１と、前記下部板状部に接合され、横折り目２４により、前記下部板状部４より延出しない形態に折り畳みまれ、かつ前記下部板状部の側部より延出しない起立支持体２０とを備えた展示用表示体。【選択図】図４
0003141377.tif 000002
【実用新案登録請求の範囲】
【請求項１】
広告表示面が露出する広告表示形態と、前記広告表示面が露出せず、輸送時表面が露出する輸送時形態となることが可能な展示用表示体であって、
該展示用表示体は、中央に長手方向に交差する方向に延びる横折り目により区分された上部板状部および下部板状部と、前記上部板状部および前記下部板状部の表面側により構成される前記広告表示面と、前記上部板状部の一方の側部に設けられた長手方向に延びる縦折り目により区分された第１の上側板部と、前記上部板状部の他方の側部に設けられた長手方向に延びる縦折り目により区分された第２の上側板部と、前記上部板状部と前記第１の上側板部と前記第２の上側板部の裏面側により構成される前記輸送時表面とを備える板状本体と、
前記下部板状部に接合され、前記上部板状部と前記下部板状部の展開時に、前記上部板状部に到達する長さを有し、かつ、長手方向に交差する方向に延びる横折り目により、前記下部板状部より延出しない形態に折り畳みまれるものであり、かつ前記下部板状部の側部より延出しない起立支持体とを備え、
前記展示用表示体は、前記起立支持体を前記下部板状部の非広告表示面側にかつ前記下部板状部より延出しない形態に折り畳むことにより前記下部板状部を含む下部側折り畳み形態物とし、そして、該下部側折り畳み形態物を前記上部板状部の前記広告表示面側に折り曲げ、該下部側折り畳み形態物上に、前記第１および第２の上側板部を折り曲げることにより、前記輸送時表面が露出し前記広告表示面が露出しない前記輸送時形態となるものであり、かつ、前記輸送時形態より展開し、前記広告表示面を露出させるとともに、前記上部板状部の前記第１および第２の上側板部の前記上部板状部の非広告表示面側への折り曲げを行った後、前記起立支持体の上部が前記第１および第２の上側板部上となるように展開しかつ起立させることにより、前記広告表示面が露出し、かつ起立可能となった前記広告表示形態となるものであることを特徴とする展示用表示体。
【請求項２】
前記板状本体は、前記下部板状部の一方の側部に設けられた長手方向に延びる縦折り目により区分された第１の下側板部と、前記下部板状部の他方の側部に設けられた長手方向に延びる縦折り目により区分された第２の下側板部とを備え、前記展示用表示体は、前記下部板状部の前記第１および第２の下側板部を前記下部板状部より延出しない形態に折り畳まれた状態にて備えている請求項１に記載の展示用表示体。
【請求項３】
前記第１の上側板部は、前記上部板状部の一方の側部に設けられた長手方向に延びかつ所定距離離間した二本の平行の縦折り目を有する第１の厚み形成折り目部により区分されており、前記第２の上側板部は、前記上部板状部の他方の側部に設けられ長手方向に延びかつ所定距離離間した二本の平行の縦折り目を有する第２の厚み形成折り目部により区分されており、さらに、前記第１および前記第２厚み形成折り目部は、前記輸送時形態において、向かい合う側壁部を形成するものである請求項１または２に記載の展示用表示体。
【請求項４】
前記第１および前記第２の厚み形成折り目部を形成する二本の平行の前記縦折り目間の距離は、前記下部板状部と前記下部側折り畳み形態物との重層物の厚さ以上のものとなっている請求項３に記載の展示用表示体。
【請求項５】
前記板状本体は、前記上部板状部の上部に長手方向に交差する方向に延びる横折り目により区分された上部覆い部を備え、前記輸送時形態において、前記上部覆い部は、前記広告表示面側に折り曲げられ、かつ、前記第１および第２の上側板部は、折り曲げられた前記上部覆い部上に折り曲げられるものである請求項１ないし４のいずれかに記載の展示用表示体。
【請求項６】
前記上部覆い部は、前記上部板状部の上部に長手方向に交差する方向に延びかつ所定距離離間した二本の平行の横折り目を有する第３の厚み形成折り目部により区分されている請求項５に記載の展示用表示体。
【請求項７】
前記輸送時形態時において、前記下部板状部上に折り曲げられた前記第１の上側板部と前記第２の上側板部の向かい合う端部は、近接もしくは若干重なり合うものである請求項１ないし６のいずれかに記載の展示用表示体。
【請求項８】
前記輸送時形態時において、前記下部側折り畳み形態物上に折り曲げられた前記第１の上側板部と前記第２の上側板部は、剥離可能な粘着テープで止められている請求項１ないし７のいずれかに記載の展示用表示体。
【請求項９】
前記上部覆い部は、前記上部板状部の前記広告表示面側に折り曲げられた状態にて表面となる面に、前記上部板状部の前記広告表示面側に折り曲げられた前記第１および第２の上側板部を接着するための剥離テープ付き接着部を備えている請求項１ないし８のいずれかに記載の展示用表示体。
【請求項１０】
前記起立支持体は、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部に形成された長手方向に延びる折り目により起立可能に形成された支持側板部とを備え、さらに、前記支持側板部は、前記基板部に形成された横折り目と同じ位置かつ同じ方向に延びる横折り目を備えている請求項１ないし９のいずれかに記載の展示用表示体。
【請求項１１】
前記起立支持体は、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部の両側に形成された折り目により起立可能に形成された２つの支持側板部とを備え、さらに、前記２つの支持側板部は、前記基板部に形成された横折り目と同じ位置かつ同じ方向に延びる横折り目を備えている請求項１ないし９のいずれかに記載の展示用表示体。
【請求項１２】
前記起立支持体は、前記上部板状部を支承する部位に設けられた長手方向に交差する方向に延びる横折り目と該横折り目の両端を始端および終端とし上方もしくは下方に延びるスリットとにより形成された支持側板部の折り曲げ状態を保持する支持側板保持部を備え、該支持側板保持部は、前記横折り目により折り曲げることにより起立し、起立状態において、前記支持側板部と係合する係合部を備えている請求項１０または１１に記載の展示用表示体。
【請求項１３】
前記起立支持体は、前記下部板状部を支承する部位に設けられた長手方向に交差する方向に延びる横折り目と該横折り目の両端を始端および終端とし上方もしくは下方に延びるスリットとにより形成された支持側板部の折り曲げ状態を保持する支持側板保持部を備え、該支持側板保持部は、前記横折り目により折り曲げることにより起立し、起立状態において、前記支持側板部と係合する係合部を備えている請求項１０ないし１２のいずれかに記載の展示用表示体。
【請求項１４】
前記支持板保持部は、起立状態にて前記支持側板部と嵌合する嵌合用切込部と、前記横折り目の前記スリット非形成側部分に形成された前記板状本体に当接する当接板部とを有するものである請求項１０ないし１３のいずれかに記載の展示用表示体。
【請求項１５】
前記起立支持体は、下端が前記下部板状部の下端に合わせられ、前記横折り目より下部にて前記下部板状部に固着されている請求項１ないし１４のいずれかに記載の展示用表示体。
【請求項１６】
前記起立支持体は、前記上部板状部の非広告表示面側に折り曲げられた前記第１および第２の上側板部に固着するための剥離テープ付き接着部を備えている請求項１ないし１５のいずれかに記載の展示用表示体。
【請求項１７】
広告表示面が露出する広告表示形態と、前記広告表示面が露出せず、輸送時表面が露出する輸送時形態となることが可能な展示用表示体であって、
該展示用表示体は、中央に長手方向に交差する方向に延びる横折り目により区分された上部板状部および下部板状部と、前記上部板状部および前記下部板状部の表面側により構成される前記広告表示面と、前記上部板状部の一方の側部に設けられた長手方向に延びかつ所定距離離間した二本の平行の縦折り目を有する第１の厚み形成折り目部により区分された第１の上側板部と、前記上部板状部の他方の側部に設けられた長手方向に延びかつ所定距離離間した二本の平行の縦折り目を有する第２の厚み形成折り目部により区分された第２の上側板部と、前記上部板状部と前記第１の上側板部と前記第２の上側板部の裏面側により構成される前記輸送時表面とを備える板状本体と、
前記下部板状部に接合され、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部に形成された長手方向に延びる折り目により起立可能に形成された支持側板部とを備える起立支持体とを備え、さらに、前記支持側板部は、前記基板部に形成された横折り目と同じ位置かつ同じ方向に延びる横折り目を備えるものであり、そして、
前記展示用表示体は、前記起立支持体を前記下部板状部の非広告表示面側にかつ前記下部板状部より延出しない形態に折り畳むことにより前記下部板状部を含む下部側折り畳み形態物とし、そして、該下部側折り畳み形態物を前記上部板状部の前記広告表示面側に折り曲げ、該下部側折り畳み形態物上に、前記第１および第２の上側板部を折り曲げることにより、前記輸送時表面が露出し前記広告表示面が露出せず、かつ、前記第１および前記第２厚み形成折り目部により向かい合う側壁部が形成された前記輸送時形態となるものであり、かつ、前記輸送時形態より展開し、前記広告表示面を露出させるとともに、前記上部板状部の前記第１および第２の上側板部の前記上部板状部の非広告表示面側への折り曲げを行った後、前記起立支持体の上部が前記第１および第２の上側板部上となるように展開しかつ前記基板部より前記支持側板部を起立させることにより、前記広告表示面が露出し、かつ起立可能となった前記広告表示形態となるものであることを特徴とする展示用表示体。
【考案の詳細な説明】
【技術分野】
【０００１】
この考案は、表面側が広告表示面で、裏面側が輸送時表面となる板状本体と、起立支持体を備え、輸送時に輸送時表面を外側として輸送時形態とし、輸送時形態より展開して起立可能とする展示用表示体に関する。
【背景技術】
【０００２】
従来、広告表示板を自らの構成部材で縮小包装できる広告表示装置として、角柱組立構成部材を箱形に形成できる如くして、折り畳んだ広告表示板を収納可能としたものが公開されている（特許文献１参照）。
また、折畳み自在な本体パネルと、柱状支持体を備え、支持体を組み替えてなる箱の中に、折畳んだ本体パネルを収納可能とした広告表示装置で、柱体背壁面が傾斜状とされたものが公開されている（特許文献２参照）。
【０００３】
【特許文献１】特開平８−２９２７２１号公報
【特許文献２】実用新案登録第３０８９１５７号公報
【考案の開示】
【考案が解決しようとする課題】
【０００４】
特許文献１の広告表示装置は、角柱組立構成部材を箱形折畳み状態とする場合、角柱の差し込み板を頭部両側側面板及び脚部両側側面板から外し、さらに、背面板を外して全体を平板状態とした後で、広告表示板側を裏返して主正面板と主両側側面板を底板とし、これに広告表示板の頭部と角柱組立頭部固定体を重ね合わせ、この上から広告表示板の脚部と角柱組立固定体及び連設板と足板を重ね、両側主背面板を起立させ、上下重ね両側副背面板を以上のものの上に折り重ね、頭部組立体と脚部組立体とを蓋板として組み合わせて固定し、箱形を形成するので、箱に組み替える構造が甚だ複雑で手間がかかり、角柱で構成する箱は表示板を折り畳んで収納する大きさが必要であり、角柱が大きくなり、また、箱形に包装した場合、折り目、切り込み等が外側に露出し、この折り目、切り込み等が搬送時に損傷する原因となり、箱形が損傷すると角柱が損傷することになって不都合であり、また箱形の表面に折り目等が露出しているので、郵送、搬送するには体裁が良くないなどの問題がある。
特許文献２では、箱形に折り畳む場合、本体パネルの上部および下部を折り曲げ、下方片部を箱用第２縦折線に沿って、その外側に突出する片を折畳み、上片部は、箱用第１横折線および箱用第２横折線に沿って山折りし、中央片部は箱用第１縦折線および箱用第２折線に沿って山折りし、本体パネルが収納され、その上を折り畳まれた下方片部で塞ぎ、下方片部の上に折り畳まれた上片部を重ね箱体とするが、柱状支持体を構成するための折線とは別に、箱用の折線を別に設けなければならず、折り目が甚だ複雑な構成となり、組み立てにくく、支持体で構成する箱は本体パネルを折り畳んで収納する大きさが必要であり、支持体が大きくなり、また、箱形に包装した場合、柱状支持体を構成するための複数の前記折線が外面に露出し、折線で破断することがあり、柱上支持体が損傷することになり、また、郵送、搬送するには体裁が良くないなどの問題がある。
【０００５】
この考案は、このような問題点を解消するために、表面側が広告表示面で、裏面側が輸送時表面となる板状本体と、板状本体を支持する起立支持体を備え、広告表示面が露出する広告表示形態と、輸送時表面が露出する輸送時形態となることが可能な展示用表示体で、輸送時に輸送時表面を外側、広告表示面を内側とし、起立支持体等を内部に折り畳んで輸送時形態として搬送、保管等に便利とでき、かつ輸送時形態より展開して広告表示面を露出させ、起立させて簡単に展示できる展示用表示体を提供することを目的とする。
【課題を解決するための手段】
【０００６】
上記目的を達成するものは、以下のものである。
（１）  広告表示面が露出する広告表示形態と、前記広告表示面が露出せず、輸送時表面が露出する輸送時形態となることが可能な展示用表示体であって、
該展示用表示体は、中央に長手方向に交差する方向に延びる横折り目により区分された上部板状部および下部板状部と、前記上部板状部および前記下部板状部の表面側により構成される前記広告表示面と、前記上部板状部の一方の側部に設けられた長手方向に延びる縦折り目により区分された第１の上側板部と、前記上部板状部の他方の側部に設けられた長手方向に延びる縦折り目により区分された第２の上側板部と、前記上部板状部と前記第１の上側板部と前記第２の上側板部の裏面側により構成される前記輸送時表面とを備える板状本体と、
前記下部板状部に接合され、前記上部板状部と前記下部板状部の展開時に、前記上部板状部に到達する長さを有し、かつ、長手方向に交差する方向に延びる横折り目により、前記下部板状部より延出しない形態に折り畳みまれるものであり、かつ前記下部板状部の側部より延出しない起立支持体とを備え、
前記展示用表示体は、前記起立支持体を前記下部板状部の非広告表示面側にかつ前記下部板状部より延出しない形態に折り畳むことにより前記下部板状部を含む下部側折り畳み形態物とし、そして、該下部側折り畳み形態物を前記上部板状部の前記広告表示面側に折り曲げ、該下部側折り畳み形態物上に、前記第１および第２の上側板部を折り曲げることにより、前記輸送時表面が露出し前記広告表示面が露出しない前記輸送時形態となるものであり、かつ、前記輸送時形態より展開し、前記広告表示面を露出させるとともに、前記上部板状部の前記第１および第２の上側板部の前記上部板状部の非広告表示面側への折り曲げを行った後、前記起立支持体の上部が前記第１および第２の上側板部上となるように展開しかつ起立させることにより、前記広告表示面が露出し、かつ起立可能となった前記広告表示形態となるものであることを特徴とする展示用表示体。
【０００７】
（２）  前記板状本体は、前記下部板状部の一方の側部に設けられた長手方向に延びる縦折り目により区分された第１の下側板部と、前記下部板状部の他方の側部に設けられた長手方向に延びる縦折り目により区分された第２の下側板部とを備え、前記展示用表示体は、前記下部板状部の前記第１および第２の下側板部を前記下部板状部より延出しない形態に折り畳まれた状態にて備えている前記（１）に記載の展示用表示体。
【０００８】
（３）  前記第１の上側板部は、前記上部板状部の一方の側部に設けられた長手方向に延びかつ所定距離離間した二本の平行の縦折り目を有する第１の厚み形成折り目部により区分されており、前記第２の上側板部は、前記上部板状部の他方の側部に設けられ長手方向に延びかつ所定距離離間した二本の平行の縦折り目を有する第２の厚み形成折り目部により区分されており、さらに、前記第１および前記第２厚み形成折り目部は、前記輸送時形態において、向かい合う側壁部を形成するものである前記（１）または前記（２）に記載の展示用表示体。
（４）  前記第１および前記第２の厚み形成折り目部を形成する二本の平行の前記縦折り目間の距離は、前記下部板状部と前記下部側折り畳み形態物との重層物の厚さ以上のものとなっている前記（３）に記載の展示用表示体。
【０００９】
（５）  前記板状本体は、前記上部板状部の上部に長手方向に交差する方向に延びる横折り目により区分された上部覆い部を備え、前記輸送時形態において、前記上部覆い部は、前記広告表示面側に折り曲げられ、かつ、前記第１および第２の上側板部は、折り曲げられた前記上部覆い部上に折り曲げられるものである前記（１）ないし前記（４）のいずれかに記載の展示用表示体。
（６）  前記上部覆い部は、前記上部板状部の上部に長手方向に交差する方向に延びかつ所定距離離間した二本の平行の横折り目を有する第３の厚み形成折り目部により区分されている前記（５）に記載の展示用表示体。
【００１０】
（７）  前記輸送時形態時において、前記下部板状部上に折り曲げられた前記第１の上側板部と前記第２の上側板部の向かい合う端部は、近接もしくは若干重なり合うものである前記（１）ないし前記（６）のいずれかに記載の展示用表示体。
（８）  前記輸送時形態時において、前記下部側折り畳み形態物上に折り曲げられた前記第１の上側板部と前記第２の上側板部は、剥離可能な粘着テープで止められている前記（１）ないし前記（７）のいずれかに記載の展示用表示体。
（９）  前記上部覆い部は、前記上部板状部の前記広告表示面側に折り曲げられた状態にて表面となる面に、前記上部板状部の前記広告表示面側に折り曲げられた前記第１および第２の上側板部を接着するための剥離テープ付き接着部を備えている前記（１）ないし前記（８）のいずれかに記載の展示用表示体。
【００１１】
（１０）  前記起立支持体は、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部に形成された長手方向に延びる折り目により起立可能に形成された支持側板部とを備え、さらに、前記支持側板部は、前記基板部に形成された横折り目と同じ位置かつ同じ方向に延びる横折り目を備えている前記（１）ないし前記（９）のいずれかに記載の展示用表示体。
（１１）  前記起立支持体は、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部の両側に形成された折り目により起立可能に形成された２つの支持側板部とを備え、さらに、前記２つの支持側板部は、前記基板部に形成された横折り目と同じ位置かつ同じ方向に延びる横折り目を備えている前記（１）ないし前記（９）のいずれかに記載の展示用表示体。
【００１２】
（１２）  前記起立支持体は、前記上部板状部を支承する部位に設けられた長手方向に交差する方向に延びる横折り目と該横折り目の両端を始端および終端とし上方もしくは下方に延びるスリットとにより形成された支持側板部の折り曲げ状態を保持する支持側板保持部を備え、該支持側板保持部は、前記横折り目により折り曲げることにより起立し、起立状態において、前記支持側板部と係合する係合部を備えている前記（１０）または前記（１１）に記載の展示用表示体。
（１３）  前記起立支持体は、前記下部板状部を支承する部位に設けられた長手方向に交差する方向に延びる横折り目と該横折り目の両端を始端および終端とし上方もしくは下方に延びるスリットとにより形成された支持側板部の折り曲げ状態を保持する支持側板保持部を備え、該支持側板保持部は、前記横折り目により折り曲げることにより起立し、起立状態において、前記支持側板部と係合する係合部を備えている前記（１０）ないし前記（１２）のいずれかに記載の展示用表示体。
【００１３】
（１４）  前記支持板保持部は、起立状態にて前記支持側板部と嵌合する嵌合用切込部と、前記横折り目の前記スリット非形成側部分に形成された前記板状本体に当接する当接板部とを有するものである前記（１０）ないし（１３）のいずれかに記載の展示用表示体。
（１５）  前記起立支持体は、下端が前記下部板状部の下端に合わせられ、前記横折り目より下部にて前記下部板状部に固着されている前記（１）ないし前記（１４）のいずれかに記載の展示用表示体。
（１６）  前記起立支持体は、前記上部板状部の非広告表示面側に折り曲げられた前記第１および第２の上側板部に固着するための剥離テープ付き接着部を備えている前記（１）ないし（１５）のいずれかに記載の展示用表示体。
【００１４】
（１７）  広告表示面が露出する広告表示形態と、前記広告表示面が露出せず、輸送時表面が露出する輸送時形態となることが可能な展示用表示体であって、
該展示用表示体は、中央に長手方向に交差する方向に延びる横折り目により区分された上部板状部および下部板状部と、前記上部板状部および前記下部板状部の表面側により構成される前記広告表示面と、前記上部板状部の一方の側部に設けられた長手方向に延びかつ所定距離離間した二本の平行の縦折り目を有する第１の厚み形成折り目部により区分された第１の上側板部と、前記上部板状部の他方の側部に設けられた長手方向に延びかつ所定距離離間した二本の平行の縦折り目を有する第２の厚み形成折り目部により区分された第２の上側板部と、前記上部板状部と前記第１の上側板部と前記第２の上側板部の裏面側により構成される前記輸送時表面とを備える板状本体と、
前記下部板状部に接合され、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部に形成された長手方向に延びる折り目により起立可能に形成された支持側板部とを備える起立支持体とを備え、さらに、前記支持側板部は、前記基板部に形成された横折り目と同じ位置かつ同じ方向に延びる横折り目を備えるものであり、そして、
前記展示用表示体は、前記起立支持体を前記下部板状部の非広告表示面側にかつ前記下部板状部より延出しない形態に折り畳むことにより前記下部板状部を含む下部側折り畳み形態物とし、そして、該下部側折り畳み形態物を前記上部板状部の前記広告表示面側に折り曲げ、該下部側折り畳み形態物上に、前記第１および第２の上側板部を折り曲げることにより、前記輸送時表面が露出し前記広告表示面が露出せず、かつ、前記第１および前記第２厚み形成折り目部により向かい合う側壁部が形成された前記輸送時形態となるものであり、かつ、前記輸送時形態より展開し、前記広告表示面を露出させるとともに、前記上部板状部の前記第１および第２の上側板部の前記上部板状部の非広告表示面側への折り曲げを行った後、前記起立支持体の上部が前記第１および第２の上側板部上となるように展開しかつ前記基板部より前記支持側板部を起立させることにより、前記広告表示面が露出し、かつ起立可能となった前記広告表示形態となるものであることを特徴とする展示用表示体。
【考案の効果】
【００１５】
この考案の展示用表示体によれば、前記展示用表示体は、前記起立支持体を前記下部板状部の非広告表示面側にかつ前記下部板状部より延出しない形態に折り畳むことにより前記下部板状部を含む下部側折り畳み形態物とし、そして、該下部側折り畳み形態物を前記上部板状部の前記広告表示面側に折り曲げ、該下部側折り畳み形態物上に、前記第１および第２の上側板部を折り曲げることにより、前記輸送時表面が露出し前記広告表示面が露出しない前記輸送時形態とできるので、そのまま郵送、搬送ができて便利であり、輸送時には輸送時表面すなわち、裏面側を外側の包装面とするので、郵送時に外側が汚れても内部に折り畳まれている表面側の広告表示面が汚れることなく、また内部に折り畳んで収納した下部側折り畳み形態物が損傷することがない。輸送時形態はほぼ箱体でコンパクトにでき、輸送時形態の表面側、裏面側に折り目が表れないので、体裁が良い。
また、前記輸送時形態より展開し、前記広告表示面を露出させるとともに、前記上部板状部の前記第１および第２の上側板部の前記上部板状部の非広告表示面側への折り曲げを行った後、前記起立支持体の上部が前記第１および第２の上側板部上となるように展開しかつ起立させることにより、前記広告表示面が露出し、かつ起立して前記広告表示形態として展示することができて便利である。
【００１６】
この考案の展示用表示体によれば、前記板状本体は、第１の下側板部と、第２の下側板部とを備え、前記展示用表示体は、前記第１および第２の下側板部を前記下部板状部より延出しない形態に折り畳まれた状態にて備えているので、展示用表示体とするとき下部板状部が曲がらないように補強できる。
前記第１の上側板部は、前記上部板状部の一方の側部に設けられた二本の平行の縦折り目を有する第１の厚み形成折り目部により区分され、前記第２の上側板部は、前記上部板状部の他方の側部に設けられ二本の平行の縦折り目を有する第２の厚み形成折り目部により区分され、前記第１および前記第２厚み形成折り目部は、前記輸送時形態において、向かい合う側壁部を形成するので、輸送時形態に簡単に変換でき、ほぼ箱状として包装できる。
前記板状本体は、前記上部板状部の上部に上部覆い部を備え、前記輸送時形態において、前記上部覆い部は、前記広告表示面側に折り曲げられ、かつ、前記第１および第２の上側板部は、折り曲げられた前記上部覆い部上に折り曲げられるので、輸送時形態はほぼ箱状として包装できる。
前記上部覆い部は、前記上部板状部の上部に二本の平行の横折り目を有する第３の厚み形成折り目部により区分され、第３の厚み形成折り目部は、前記輸送時形態において箱の周りの壁部となり、輸送時形態の箱体にできる。
【００１７】
この考案の展示用表示体によれば、前記輸送時形態時において、前記下部板状部上に折り曲げられた前記第１の上側板部と前記第２の上側板部の向かい合う端部は、近接もしくは若干重なり合うものであり、前記下部側折り畳み形態物上に折り曲げられた前記第１の上側板部と前記第２の上側板部は、剥離可能な粘着テープで止められているので、この状態で郵送、搬送できて便利であり、また粘着テープを剥がして輸送時形態を開き、簡単に展示用表示体を組立できる。粘着テープを剥がす際に上側板部の端部が剥がれた痕が残るが、展示用表示体とするとき、上側板部は表面側が外側にされて上部板状部の裏側に折り曲げられ、このテープを剥がした包装面は、内側に隠されるので美感を損なうことはない。展示用表示体を組立時、剥離テープを剥がした接着面に前記上側板部が貼着固定され、上部板状部の補強ができる。
また、輸送時形態の箱体とした時、前記上部板状部の第１および前記第２厚み形成折り目部と前記下部板状部の第１の下側板部と、第２の下側板部折り目部とが２重となって堅牢であるから、輸送、保管時等に多数の箱体が積み重ねられても潰れることがない。さらに、前記上部板状部の第１および前記第２厚み形成折り目部には前記上部覆い部の第３の厚み形成折り目部も収納できる。
前記上部覆い部は、前記上部板状部の前記広告表示面側に折り曲げられた状態にて表面となる面に、前記上部板状部の前記広告表示面側に折り曲げられた前記第１および第２の上側板部を接着するための剥離テープ付き接着部を備えているので、組立時上部覆い部に第１および第２の上側板部を固着できる。
前記上部板状部が底面、上部板状部の前記第１および前記第２厚み形成折り目部が両側面、上部覆い部の第３厚み形成折り目部が前壁部、上部板状部と下部板状部の横折り目が後壁部となり、上側板部が蓋となって、輸送時形態の箱体とすることができる。
また、輸送時形態の箱体は展示用表示体を組立てる時に板状本体が展開され、展開された板状本体の裏面において起立支持体を組み立てて展示用表示体とするので便利である。すなわち、この考案によれば、箱体を開いて簡単に展示表示体に変えることができる。
【００１８】
この考案の展示用表示体によれば、前記起立支持体は、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部に形成された長手方向に延びる折り目により起立可能に形成された支持側板部とを備え、さらに、前記支持側板部は、前記基板部に形成された横折り目と同じ位置かつ同じ方向に延びる横折り目を備えているので、輸送時形態とするとき、折り畳む前記上部板状部と前記下部板状部から延出しないように折り畳んで重ねることができる。
前記起立支持体は、前記上部板状部と前記下部板状部の展開時に、前記上部板状部に到達する長さを有し、かつ、前記長手方向に交差する方向に延びる横折り目により、前記下部板状部より延出しない形態となる基板部と、該基板部の両側に形成された折り目により起立可能に形成された２つの支持側板部とを備え、さらに、前記２つの支持側板部は、前記基板部に形成された横折り目と同じ位置かつ同じ方向に延びる横折り目を備えているので、輸送時形態とするとき、折り畳む前記上部板状部と前記下部板状部から延出しないように折り畳んで重ねることができる。
起立支持体は下部板状部から延出しないように、下端が前記下部板状部の下端に合わせられ、前記横折り目より下部において基板部が前記下部板状部に固着されるので、前記板状本体の裏面において、簡単に組立て展示でき、輸送時形態にするときには簡単に折畳みできるので便利である。
【００１９】
この考案の展示用表示体によれば、前記起立支持体は、前記上部板状部を支承する部位に設けられた長手方向に交差する方向に延びる横折り目と該横折り目の両端を始端および終端とし上方もしくは下方に延びるスリットとにより形成された支持側板部の折り曲げ状態を保持する支持側板保持部を備え、該支持側板保持部は、前記横折り目により折り曲げることにより起立し、起立状態において、前記支持側板部と係合する係合部を備えているので、展示用表示体は前記板状本体の裏面において、簡単に組立て展示でき、箱体にするときには簡単に折畳みできるので便利である。組立状態で支持側板保持部で確実に支持できる。
前記起立支持体は、前記下部板状部を支承する部位に設けられた長手方向に交差する方向に延びる横折り目と該横折り目の両端を始端および終端とし上方もしくは下方に延びるスリットとにより形成された支持側板部の折り曲げ状態を保持する支持側板保持部を備え、該支持側板保持部は、前記横折り目により折り曲げることにより起立し、起立状態において、前記支持側板部と係合する係合部を備えているので、展示用表示体は組立状態で支持側板保持部で確実に支持できる。
【考案を実施するための最良の形態】
【００２０】
この考案の展示用表示体の実施形態を図面に基づいて説明する。図１は、この考案の展示用表示体を構成する板状本体の展開正面図、 図２は、板状本体の展開背面図、図３は、この考案の展示用表示体を構成する起立支持体の展開背面図、 図４は、この考案の展示用表示体の展開背面図、 図５は、粘着テープで止めた輸送時形態（箱体）を示す斜視図、 図６は、粘着テープを剥がした輸送時形態（箱体）を示す斜視図、 図７は、輸送時形態（箱体）の上側板部を両側に開いた状態の斜視図、 図８は、起立支持体が折り畳まれた状態にある下部板状部を上部板状部より起こした状態の斜視図、 図９は、上部板状部に対して下部板状部を展開し表面側を示す斜視図、 図１０は、上部板状部に対して下部板状部を展開し裏面側を示す斜視図、 図１１は、上部板状部に対して下部板状部を展開し、さらに起立支持体の上部起立支持体を下部起立支持体に対して展開した状態の斜視図、図１２は、起立支持体の支持側板部に支持側板保持部を係合した状態の斜視図、図１３は、組み立てた展示用表示体を示す斜視図である。
【００２１】
図１および図２おいて、Ａは、広告表示面１Ａが露出する広告表示形態Ｂと、前記広告表示面が露出せず、輸送時表面１Ｂが露出する輸送時形態Ｄとなることが可能な展示用表示体である。展示用表示体Ａは、板状本体１と起立支持体２０とを備えたものである。
前記板状本体１は、厚紙、段ボール等板紙で作成され、その光沢のある表面側が広告、宣伝、案内等が印刷された広告表示面１Ａとされ、光沢のない面（板紙の材質のまま）が、輸送時形態Ｄすなわち箱体とするとき、外側となり輸送時表面１Ｂとされる。
前記板状本体１は、中央に長手方向に交差する方向に延びる横折り目２により上部板状部３および下部板状部４とに区分され、前記上部板状部３および前記下部板状部４の表面側が前記広告表示面１Ａとされ、前記上部板状部３の一方の側部に設けられた長手方向に延びる縦折り目６ａにより第１の上側板部８ａが区分され、前記上部板状部の他方の側部に設けられた長手方向に延びる縦折り目６ｂにより第２の上側板部８ｂが区分され、前記上部板状部３と前記第１の上側板部８ａと前記第２の上側板部８ｂの裏面側が前記輸送時表面１Ｂとされる。前記上部板状部３と前記下部板状部４とからなる矩形状板状部５が、展開されて板状の表示板（広告板）となり、矩形状板状部５の表面側に広告、宣伝、案内等が印刷されて、広告表示形態Ｂとされる。前記上部板状部３と前記下部板状部４は中央の前記横折り目２で表面側を内側として折り畳み可能とされている。また、前記上側板部８ａ、８ｂは、前記縦折り目６ａより上部板状部３の表面側或いは裏面側に折り畳み可能とされている。
【００２２】
図１および図２に示すように、実施形態では、両側に上側板部８ａ、８ｂが形成された上部板状部３と、両側に下側板部１３ａ、１３ｂが形成された下部板状部４とが設けられ、前記上部板状部３の下端に下部板状部４の上端が接着されて板状本体１が構成されている。前記横折り目２は、上部板状部３と下部板状部４とを接続した箇所に設けられている。前記上部板状部３と前記下部板状部４は一枚で形成してもよい。
【００２３】
図３において、前記起立支持体２０は、厚紙、段ボール等板紙で作成され、前記矩形状板状部５より小さく、上部板状部３および下部板状部４とに跨る長さの板状部で形成される起立支持体であり、該起立支持体２０は、前記上部板状部３と下部板状部４に添設されるものであり、かつ折り畳み可能で、折り畳み状態で前記下部板状部４上に収まるように設けられている。
該起立支持体２０は、前記下部板状部４に接合され、前記上部板状部３と前記下部板状部４の展開時に、前記上部板状部３に到達する長さを有し、かつ、長手方向に交差する方向に延びる横折り目２４により、前記下部板状部４より延出しない形態に折り畳みまれるものであり、かつ前記下部板状部４の側部より延出しないように形成されている。
【００２４】
この考案の展示用表示体Ａは、中央に長手方向に交差する方向に延びる横折り目２により区分された上部板状部３および下部板状部４と、前記上部板状部３および前記下部板状部４の表面側により構成される前記広告表示面１Ａと、前記上部板状部３の一方の側部に設けられた長手方向に延びる縦折り目６ａにより区分された第１の上側板部８ａと、前記上部板状部の他方の側部に設けられた長手方向に延びる縦折り目６ｂにより区分された第２の上側板部８ｂと、前記上部板状部３と前記第１の上側板部８ａと前記第２の上側板部８ｂの裏面側により構成される前記輸送時表面１Ｂとを備える板状本体１と、
前記下部板状部４に接合され、前記上部板状部３と前記下部板状部４の展開時に、前記上部板状部３に到達する長さを有し、かつ、長手方向に交差する方向に延びる横折り目２４により、前記下部板状部４より延出しない形態に折り畳みまれるものであり、かつ前記下部板状部４の側部より延出しない起立支持体２０とを備え 、
前記展示用表示体Ａは、前記起立支持体２０を前記下部板状部４の非広告表示面側にかつ前記下部板状部４より延出しない形態に折り畳むことにより前記下部板状部４を含む下部側折り畳み形態物Ｃとし、そして、該下部側折り畳み形態物Ｃを前記上部板状部３の前記広告表示面側に折り曲げ、該下部側折り畳み形態物Ｃ上に、前記第１および第２の上側板部８ａ、８ｂを折り曲げることにより、前記輸送時表面１Ｂが露出し前記広告表示面１Ａが露出しない前記輸送時形態Ｄとなるものであり、かつ、前記輸送時形態Ｄより展開し、前記広告表示面１Ａを露出させるとともに、前記上部板状部３の前記第１および第２の上側板部８ａ、８ｂの前記上部板状部３の非広告表示面側への折り曲げを行った後、前記起立支持体２０の上部が前記第１および第２の上側板部上となるように展開しかつ起立させることにより、前記広告表示面が露出し、かつ起立可能となった前記広告表示形態Ｂとなるものである。
【００２５】
図１および図２において、前記板状本体１は、下部板状部４の両側の縦折り目１２ａ、１２ｂで裏面側に折り曲げ可能な下側板部１３ａ、１３ｂが設けられている。前記板状本体１は、前記下部板状部４の一方の側部に設けられた長手方向に延びる縦折り目１２ａにより区分された第１の下側板部１３ａと、前記下部板状部４の他方の側部に設けられた長手方向に延びる縦折り目１２ｂにより区分された第２の下側板部１３ｂとを備え、前記展示用表示体Ａは、前記下部板状部４の前記第１および第２の下側板部１３ａ、１３ｂが前記下部板状部４より延出しない形態に折り畳まれた状態に備えられる。前記下側板部１３ａ、１３ｂは、下部板状部４とほぼ同じ長さで矩形状とされ、幅は起立支持体２０の支持側板部２３ａ、２３ｂの縦折り目２２ａ、２２ｂ近くまでとしてある。
前記下部板状部４の前記第１および第２の下側板部１３ａ、１３ｂが折り畳まれた状態に備えられるので、展示用表示体とするとき下部板状部が曲がらないように補強できる。
前記下側板部１３ａ、１３ｂは、表面１Ａを外側として縦折り目１２ａ、１２ｂより下部板状部４の内面側に折畳み状態に備えられる。下側板部１３ａ、１３ｂは、下部板状部４の内面に折り曲げて接着してもよい。
【００２６】
前記第１の上側板部８ａは、前記上部板状部３の一方の側部に設けられた長手方向に延びかつ所定距離離間した二本の平行の縦折り目６ａを有する第１の厚み形成折り目部７ａにより区分されており、前記第２の上側板部８ｂは、前記上部板状部３の他方の側部に設けられ長手方向に延びかつ所定距離離間した二本の平行の縦折り目６ｂを有する第２の厚み形成折り目部７ｂにより区分されており、さらに、前記第１および前記第２厚み形成折り目部７ａ、７ｂは、前記輸送時形態Ｄにおいて、向かい合う側壁部を形成するものである。
前記第１および前記第２の厚み形成折り目部７ａ、７ｂを形成する二本の平行の前記縦折り目間の距離Ｈは、前記下部板状部４と前記下部側折り畳み形態物Ｃとの重層物の厚さ以上のものとなっている。
従って、輸送時形態の箱体とするときに、下部板状部と前記下部側折り畳み形態物との重層物を内部に収納するとき脹らむことなく、収納でき、ほぼ四角の箱とする。
【００２７】
前記板状本体１は、下部板状部４の両側も平行に設けた２本の縦折り目１２ａ、１２ｂが設けられた厚み形成折り目部１４ａ、１４ｂが設けられ、該厚み形成折り目部１５の折り目１２より前記下部板状部４の裏面側に折り曲げ可能とした下側板部１３ａ、１３ｂが形成されている。
前記下部板状部４の厚み形成折り目部１４ａ、１４ｂの間隔Ｈ２は、前記上部板状部３の厚み形成折り目部７ａ、７ｂの間隔Ｈより狭く設けられ、箱体にするとき下部板状部４の厚み形成折り目部１４ａ、１４ｂの断面コ字型部を前記上部板状部３の厚み形成折り目部７ａ、７ｂの断面コ字型部に収納できるようにしてある。上部板状部３に前記上側板部８ａ、８ｂを折り曲げて合わせ、下部板状部４に下側板部１３ａ、１３ｂを折り曲げて合わせるので、２重となり、上部板状部３、下部板状部４が湿気等で曲がるのを防止できる。また、箱体にするとき前記上部板状部の断面コ字型部が下部板状部の断面コ字型部を収納されて箱体の両厚み形成折り目部が２重壁となって堅牢となるから、輸送時に多数の箱体が積み重ねられても潰れることがない。
なお、前記下側板部は、上部板状部の裏面１Ｂに折り曲げて合わせるだけであり、１本の折り目でも良い。
【００２８】
図５および図６において、輸送時形態Ｄの箱体とするとき、前記板状本体１の上側板部８ａ、８ｂは、前記上部板状部３とほぼ同じ長さでかつ前記上部板状部３の表面側又は裏面側に前記縦折り目より折り曲げて被せるとともに先端部を向かい合わせるものである。
前記輸送時形態時において、前記下部側折り畳み形態物Ｃ上に折り曲げられた前記第１の上側板部８ａと前記第２の上側板部８ｂの向かい合う端部は、近接もしくは若干重なり合うものである。
前記板状本体１の前記上側板部８ａ、８ｂは前記上部板状部３の幅をほぼ２分する幅の矩形状に設けられ、前記上部板状部３の両側の上側板部８ａ、８ｂが、上部板状部３の中央部で突き合わせて覆うことができる大きさとされる。
前記上側板部８ａ、８ｂは縦折り目６ａ、６ｂより表面側或いは裏面側に折り曲げ可能である。前記上部両側板は展示用表示体とするときに上部板状部の補強となる。なお、上側板部は突き合わせるのが好ましいが、これに限るものでなく、上側板部の先端部同士が重なってもよい。
【００２９】
前記板状本体１は、前記上部板状部３の上部に長手方向に交差する方向に延びる横折り目９により区分された上部覆い部１１を備え、前記輸送時形態において、前記上部覆い部１１は、前記広告表示面側に折り曲げられ、かつ、前記第１および第２の上側板部８ａ、８ｂは、折り曲げられた前記上部覆い部１１上に折り曲げられるものである。前記上部板状部３の上部覆い部１１が横折り目９より表面側または裏面側に折り曲げ可能に設けられる。
前記上部覆い部１１は、前記上部板状部３の上部に長手方向に交差する方向に延びかつ所定距離離間した二本の平行の横折り目９を有する第３の厚み形成折り目部１０により区分されている。該第３の厚み形成折り目部１０は箱体とするとき、前面壁部となる。
前記上部覆い部１１は、上部板状部３とほぼ同じ幅であり、輸送時表面（裏面）１Ｂを外側として折り曲げるときは、折り畳んだ下部側折り畳み形態物Ｃの上端を押さえることができ、かつ展示用表示体Ａとするとき、上部覆い部１１の表面１Ａを外側として折り曲げて、その上に前記上側板部８ａ、８ｂが被せられる。
【００３０】
前記上部覆い部１１は、前記上部板状部３の前記広告表示面側に折り曲げられた状態にて表面となる面に、前記上部板状部の前記広告表示面側に折り曲げられた前記第１および第２の上側板部８ａ、８ｂを接着するための剥離テープ付き接着部１５を備えている。展示用表示体を組立時、剥離テープを剥がした接着部１５に前記上側板部８ａ、８ｂが貼着固定され、上部板状部の補強ができる。前記上部覆い部１１の表面は、板状本体１の表面１Ａの延長上である。
展示用表示体Ａとするとき、前記上部覆い部１１の表面を外側として折り曲げ、上部覆い部１１の剥離テープを剥がした接着部１５に上側板部８ａ、８ｂを被せて貼着し、上部板状部３の裏面１Ｂに折り曲げた上側板部８ａ、８ｂが開かないようにされる。
【００３１】
前記板状本体１は、上部板状部３の両側に設けられる上側板部８ａ、８ｂと、上部に設けられる上部覆い部１１が、平行な二本の折り目９、９で断面コ字型に折り曲げて第３の厚み形成折り目部１０が形成される。前記上部板状部の両側の縦折り目６ａ、６ａ間の厚み形成折り目部７ａおよび縦折り目６ｂ、６ｂ間の厚み形成折り目部７ｂの幅Ｈは、上部板状部３の上部の横折り目９間の厚み形成折り目部１０の幅Ｈ１より広くして、箱体とするときに、厚み形成折り目部７ａ、７ｂの断面コ字型部に厚み形成折り目部１０の断面コ字型部を収納可能とするのが好ましい。
【００３２】
図５および図６において、前記展示用表示体Ａの表示体となる前記板状本体１の裏面１Ｂを外側の包装面として、前記上部板状部３が底面となり、かつ厚み形成折り目部７ａ、７ｂと、厚み形成折り目部１０と、上部板状部３と前記下部板状部４の横折り目２とが箱体の側壁となり、その中に上部板状部３に対して折り畳まれた前記下部板状部４と前記下部側折り畳み形態物Ｃとの重層物が収納されて前記上部覆い部１１が被せられ、前記上側板部８ａ、８ｂが被せられて輸送時形態Ｄの箱体が組み立てられる。
【００３３】
図５に示すように、前記輸送時形態時において、前記下部側折り畳み形態物上に折り曲げられた前記第１の上側板部と前記第２の上側板部は、端部が剥離可能な粘着テープ１６で止められている。前記粘着テープ１６は、片面に貼着面を有する帯状テープであり、例えばガムテープ等を使用する。
箱体の上側板部８ａ、８ｂを突き合わせた端部に沿って粘着テープ１６を貼着した状態で郵送、搬送できて便利であり、また粘着テープ１４を剥がして輸送時形態を開き、簡単に展示用表示体を組立できる。粘着テープを剥がす際に上側板部の端部が剥がれた痕が残るが、展示用表示体とするとき、上側板部は表面側が外側にされて上部板状部の裏側に折り曲げられ、このテープを剥がした包装面は、内側に隠されるので美感を損なうことはない。
展示表示体を組み立てるときは、この粘着テープ１６を剥がして輸送時形態（箱体）Ｄを開いて板状表示体１、起立支持体２０を展開する。
【００３４】
この展示用表示体は、前記構造としたので、箱体とした状態で前記両側の上側板部の向かい合わせた端部を粘着テープで止めて、この状態で郵送、搬送できるので便利であり、また粘着テープを剥がして箱体を開き、簡単に展示用表示体を組立できる。また、粘着テープを剥がす際に上側板部等の端部が剥がれた痕が残るが、展示用表示体とするとき、上側板部は表面側が外側にされて上部板状部の裏側に折り曲げられ、この粘着テープを剥がした包装面は、内側に隠されるので美感を損なうことはない。
実施形態では、粘着テープで上側板部の向かい合わせた端部を止める場合を示したが、これに限られるものでなく、例えば、組み立てた箱体を紐で縛り、或いは向かい合わせた端部を他の留め具で止めて梱包してもよい。
【００３５】
図３において、前記起立支持体２０は、前記上部板状部３と前記下部板状部４の展開時に、前記上部板状部３に到達する長さを有し、かつ、前記長手方向に交差する方向に延びる横折り目２４により、前記下部板状部４より延出しない形態となる基板部２１と、該基板部２１に形成された長手方向に延びる縦折り目２２ａ、２２ｂにより起立可能に形成された支持側板部２３ａ、２３ｂとを備え、さらに、前記支持側板部２３ａ、２３ｂは、前記基板部２１に形成された横折り目２４と同じ位置かつ同じ方向に延びる横折り目２４’を備えている。前記起立支持体２０のほぼ中央の前記横折り目２４、２４’で、上側の上部起立支持部２５と下側の下部起立支持部２６とに区分されている。
輸送時形態とするとき、起立支持体２０は横折り目２４、２４’より上部起立支持部２５と下部起立支持部２６が折り畳まれ、折り畳まれた下部側折り畳み形態物Ｃが前記上部板状部３と前記下部板状部４から延出しないようにされている。
実施形態の起立支持体２０は、両側面の上端から横折り目２４より下方までを傾斜面として、上部を幅狭としてある。したがって、両側の支持側板部２３ａ、２３ｂは、起立状態とするとき、図１２に示すように、下部より上端に向かって上端が傾斜状とされる。起立支持体２０は、支持側板部の下部が幅広としてあるので、展示用表示体を立てるとき、安定して立てることができる。
【００３６】
図４ないし図１３において、前記板状本体１の輸送時表面（板紙の裏面）１Ｂにおいて、前記起立支持体２０が組み立てられ、展開した板状本体１を支えて展示用表示体Ａが構成される。
前記起立支持体２０は、前記上部板状部３と前記下部板状部４の展開時に、前記上部板状部３に到達する長さを有し、かつ、前記長手方向に交差する方向に延びる横折り目により、前記下部板状部４より延出しない形態となる基板部２１と、該基板部２１の両側に形成された縦折り目２２ａ、２２ｂにより起立可能に形成された２つの支持側板部２３ａ、２３ｂとを備え、さらに、前記２つの支持側板部２３ａ、２３ｂは、前記基板部２１に形成された横折り目２４と同じ位置かつ同じ方向に延びる横折り目２４’を備えている。
前記起立支持体２０は、板紙等の板状部で、輸送時形態Ｃにするときに前記上部板状部３と下部板状部４を折り畳んで収納できるように、前記上部板状部３と下部板状部４とからなる矩形状板状部５の縦方向の長さより短くしてあり、幅もほぼ同じか若干狭く設けられ、前記上部板状部３と下部板状部４とに跨って当接可能に設ける基板部２１と、両側に設ける縦折り目２２ａ、２２ｂを介して両側の支持側板部２３ａ、２３ｂとを備えたものである。前記起立支持体２０は、下端が前記下部板状部４の下端に合わせられ、上端は上部板状体のほぼ中程まで延ばされ、前記横折り目２４より下部にて前記下部板状部４に固着されている。
また、前記起立支持体２０の前記基板部２１と支持側板部２３ａ、２３ｂの横折り目２４、２４’は、前記上部板状部３と下部板状部４の前記横折り目２と平行であり、かつ該横折り目２より下方に設けられている（図４参照）。
輸送時形態とするとき、折り畳まれる前記上部板状部と前記下部板状部から折り畳んだ起立支持体２０が延出しないように折り畳んで重ねられる。
【００３７】
図４に示すように、前記起立支持体２０は、下部起立支持体２６の下端２６ａが前記下部板状部４の下端４ａに合わせられ、下部起立支持体２６の基板部２１の横折り目より下部において前記下部板状部４に接着材等で固着されている。
そして、例えば、前記板状本体１の下部板状部４と起立支持体２０の基板部２１の下部のいずれかに粘着部を設けて接着されている。前記板状本体１の下部板状部４と起立支持体２０の基板部２１との固定は、前記実施例の接着に限られるものでなく、適宜手段で固定することができる。
展開した状態にある前記起立支持体２０は、前記上部起立支持体２５が、固着された下部起立支持体２６に対して横折り目より折り畳み可能とされる。
【００３８】
前記起立支持体２０には、支持側板部２３ａ、２３ｂを起立状態で保持するために支持側板保持部が設けられている。前記基板部２１と支持側板部２３ａ、２３ｂの前記上部板状部３と下部板状部４を支承する箇所、実施形態では前記上部板状部３と下部板状部４のほぼ中央部にそれぞれ支持側板保持部２７Ａ、２７Ｂが設けられる。
前記起立支持体２０は、前記上部板状部３を支承する部位に設けられた長手方向に交差する方向に延びる横折り目２８Ａと、該横折り目２８Ａの両端を始端および終端とし上方もしくは下方に延びるスリット２９、３０、３１とにより形成された支持側板部２３ａ、２３ｂの折り曲げ状態を保持する支持側板保持部２７Ａを備え、該支持側板保持部２７Ａは、前記横折り目２８Ａにより折り曲げることにより起立し、起立状態において、前記支持側板部２３ａ、２３ｂと係合する係合部３２を備えている。
また、前記起立支持体２０は、前記下部板状部４を支承する部位に設けられた長手方向に交差する方向に延びる横折り目２８Ｂと該横折り目２８Ｂの両端を始端および終端とし上方もしくは下方に延びるスリット２９、３０、３１とにより形成された支持側板部の折り曲げ状態を保持する支持側板保持部２７Ｂを備え、該支持側板保持部２７Ｂは、前記横折り目２８Ｂにより折り曲げることにより起立し、起立状態において、前記支持側板部２３ａ、２３ｂと係合する係合部３２を備えている。
前記横折り目２８Ａ、２８Ｂは、前記横折り目２４と平行で、上部板状部３と下部板状部４のほぼ中央部に設けられ、該横折り目２８Ａ、２８Ｂの上部に支持側板保持部２７Ａ、２７Ｂがそれぞれ設けられ、かつ下部両側には当接板部３５が形成され、支持側板保持部２７Ａ、２７Ｂが当接板部３５に対して起立状に折り曲げ可能とされている。前記横折り目２８Ａ、２８Ｂは両側の支持側板部２３ａ、２３ｂの側端近くまで延びて設けられるので、支持側板保持部２７Ａ、２７Ｂが横折り目２８Ａ、２８Ｂより起伏しやすい。
前記係合部３２は、支持側板保持部２７Ａ、２７Ｂの上部中央に凹部に形成されている。該係合部３２は、起立状態の前記支持側板部２３ａ、２３ｂの間隔とほぼ同じ幅として、係合部３２の両端を起立状態の前記支持側板部２３ａ、２３ｂに嵌合する。
【００３９】
図７に示すように、前記支持板保持部２７Ａ、２７Ｂは、起立状態にて前記支持側板部２３ａ、２３ｂと嵌合する嵌合用切込部３３と、前記横折り目２８Ａ、２８Ｂの前記スリット非形成側部分に形成された前記板状本体１に当接する当接板部３５とを有するものである。
図１１において、下部起立支持体２６の基板部２１の横折り目２４、２４’より下部において前記下部板状部４に接着材等で固着された状態で、横折り目２４、２４’より上部の上部起立支持体２５が上部側板部８ａ、８ｂの上面に展開され、図１２において、固着された基板部２１に対して両側の支持側板部２３ａ、２３ｂが縦折り目２２ａ、２２ｂより折り曲げ起立され、断面コ型とされる。
図３、図１１および図１２に示すように、前記両側の支持側板部２３ａ、２３ｂは側端が上端より下部近くまで傾斜状とされ、上部の幅を狭くしてある。
【００４０】
前記起立支持体２０には、スリット２９、３０、３１が切り込んで設けられ、支持側板保持部２７Ａ、２７Ｂ、係合部３２、嵌合用切込部３３、円弧状部３４、当接板部３５等が形成される。
前記横折り目２８Ａ、２８Ｂの端部より両側の縦折り目２２ａ、２２ｂの上方部で外側に、該縦折り目２２ａ、２２ｂの近くまで円弧状スリット３０が設けられ、かつ該両側の円弧状スリット３０、３０の上部間には凹状にスリット２９が設けられ、両側に円弧状部３４と中央部に係合部３２とが形成された支持側板保持部２７Ａ、２７Ｂが設けられる。前記係合部３２は支持側板保持部２７Ａ、２７Ｂの上部に設けた凹部とされる。凹部の幅は、断面コ型とされる両側の支持側板部２３ａ、２３ｂの間隔とほぼ同じとする。
実施形態では、前記係合部３２の両端にはＶ溝状の嵌合用切込部３３が設けられ、該嵌合用切込部３３が支持側板部２３ａ、２３ｂに嵌合されて支持側板部が倒れないようにする。該嵌合用切込部３３間の間隔が前記起立状態の両側の支持側板部２３ａ、２３ｂの間隔とほぼ同じに設けられる。前記嵌合用切込部３３のＶ溝の下部頂点が回動される円弧の軌跡と、起立させた支持側板部２３ａ、２３ｂの切り抜き穴３６の円弧とを同じとして、嵌合用切込部３３のＶ溝が切り抜き穴３６の内面に沿って起立又は展開可能としてある。また、前記支持側板保持部２７Ａ、２７Ｂの両側で嵌合用切込部３３より外側の円弧状部３４の高さは支持側板部２３ａ、２３ｂの高さと同じか若干低くするのが好ましい。   
さらに、前記横折り目２８Ａ、２８Ｂの両端近くより両側の縦折り目２２ａ、２２ｂの下部まで円弧状スリット３１が設けられ、横折り目２８Ａ、２８Ｂと、スリット３１と縦折り目２２ａ、２２ｂとにより当接板部３５が形成される。両側の支持側板部２３ａ、２３ｂは、両側の縦折り目２２ａ、２２ｂより折り曲げると、前記支持側板保持部２７Ａ、２７Ｂと、当接板部３５は基板部２１と同一面にあるので、支持側板部２３ａ、２３ｂに前記スリット３２、３３の形状が切り抜かれた切り抜き穴３６が形成される。
【００４１】
前記支持側板保持部２７Ａ、２７Ｂ、当接板部３５は基板部２１と同一面にあって、下部板状部３に固定されており、起立支持体２０を組み立てるとき、前記縦折り目２２ａ、２２ｂより両側の支持側板部２３ａ、２３ｂが折り曲げられて起立状とされるとともに、前記支持側板保持部２７Ａ、２７Ｂが前記横折り目２８Ａ、２８Ｂより折り曲げられ、支持側板保持部２７Ａ、２７Ｂは係合部３２の両側の嵌合用切込部３３が前記支持側板部２３ａ、２３ｂの切り抜き穴３６の内縁に嵌合され、切り抜き穴３６の内面に沿って起立位置まで回動される。前記当接板部３５は基板部２１とともに板状本体１の裏面１Ｂに接着剤で固着され、剥がれないようにするのが好ましい。
【００４２】
前記起立支持体２０の支持側板保持部２７Ａ、２７Ｂの両側端部は、円弧状部３４の下部に上側板部８ａ、８ｂ、下側板部１３ａ、１３ｂまで突出させた押さえ部３７が設けられ、該押さえ部３７でそれぞれ前記上部板状部３の上側板部８ａ、８ｂと前記下部板状部４の下側板部１３ａ、１３ｂを押さえ、展示用表示体とするとき、上側板部、下側板部が開かないようにするのが好ましい。特に、下側板部１３ａ、１３ｂは短いが、押さえ部３７で押さえるようにするのが、好ましい。
【００４３】
前記起立支持体２０は、前記上部板状部３の非広告表示面側に折り曲げられた前記第１および第２の上側板部８ａ、８ｂに固着するための剥離テープ付き接着部３８を備えている。
実施形態では、基板部２１の上部起立支持体の裏面の両側に帯状の剥離テープ付き接着面３８が設けられている。
図１１の状態で、前記起立支持体２０の基板部２１の上部裏面の剥離テープを剥がして、基板部２１の上部を上側板部８ａ、８ｂの上面に接着させ、しかる後、固着された基板部２１に対して両側の支持側板部２３ａ、２３ｂが縦折り目２２ａ、２２ｂより折り曲げ起立され、断面コ型とされる。ついで、支持側板保持部２７Ａ、２７Ｂが各横折り目２４より起立されて両側の支持側板部２３ａ、２３ｂに係合部３２が係合されて保持される。
【００４４】
この考案は、広告表示面１Ａが露出する広告表示形態Ｂと、前記広告表示面が露出せず、輸送時表面１Ｂが露出する輸送時形態Ｄとなることが可能な展示用表示体Ａであって、
該展示用表示体Ａは、中央に長手方向に交差する方向に延びる横折り目２により区分された上部板状部３および下部板状部４と、前記上部板状部３および前記下部板状部４の表面側により構成される前記広告表示面１Ａと、前記上部板状部３の一方の側部に設けられた長手方向に延びかつ所定距離離間した二本の平行の縦折り目６ａを有する第１の厚み形成折り目部７ａにより区分された第１の上側板部８ａと、前記上部板状部３の他方の側部に設けられた長手方向に延びかつ所定距離離間した二本の平行の縦折り目６ｂを有する第２の厚み形成折り目部７ｂにより区分された第２の上側板部８ｂと、前記上部板状部３と前記第１の上側板部と前記第２の上側板部の裏面側により構成される前記輸送時表面１Ｂとを備える板状本体１と、
前記下部板状部４に接合され、前記上部板状部３と前記下部板状部４の展開時に、前記上部板状部３に到達する長さを有し、かつ、前記長手方向に交差する方向に延びる横折り目２４により、前記下部板状部４より延出しない形態となる基板部２１と、該基板部２１に形成された長手方向に延びる縦折り目２２ａ、２２ｂにより起立可能に形成された支持側板部２３ａ、２３ｂとを備える起立支持体２０とを備え、さらに、前記支持側板部２３ａ、２３ｂは、前記基板部２１に形成された横折り目２４と同じ位置かつ同じ方向に延びる横折り目２４ａを備えるものであり、そして、
前記展示用表示体Ａは、前記起立支持体２０を前記下部板状部４の非広告表示面側にかつ前記下部板状部４より延出しない形態に折り畳むことにより前記下部板状部４を含む下部側折り畳み形態物Ｃとし、そして、該下部側折り畳み形態物Ｃを前記上部板状部３の前記広告表示面側に折り曲げ、該下部側折り畳み形態物Ｃ上に、前記第１および第２の上側板部８ａ、８ｂを折り曲げることにより、前記輸送時表面１Ｂが露出し前記広告表示面１Ａが露出せず、かつ、前記第１および前記第２厚み形成折り目部７ａ、７ｂにより向かい合う側壁部が形成された前記輸送時形態Ｄとなるものであり、かつ、前記輸送時形態Ｄより展開し、前記広告表示面１Ａを露出させるとともに、前記上部板状部３の前記第１および第２の上側板部８ａ、８ｂの前記上部板状部３の非広告表示面側への折り曲げを行った後、前記起立支持体２０の上部が前記第１および第２の上側板部８ａ、８ｂ上となるように展開しかつ前記基板部２１より前記支持側板部２３ａ、２３ｂを起立させることにより、前記広告表示面１Ａが露出し、かつ起立可能となった前記広告表示形態Ｂとなるものである。
【００４５】
前記構造とすることにより前記輸送時形態Ｄとして、そのまま郵送、搬送ができて便利であり、輸送時には輸送時表面すなわち、裏面側を外側の包装面とするので、郵送時に外側が汚れても内部に折り畳まれている表面側の広告表示面が汚れることなく、また内部に折り畳んで収納した下部側折り畳み形態物Ｃが損傷することがない。輸送時形態はほぼ箱体でコンパクトにでき、しかも輸送時形態の表面側、裏面側の中間部に折り目線が表れないので、体裁が良い。
また、前記輸送時形態より展開し、前記広告表示面を露出させるとともに、前記起立支持体の上部が前記第１および第２の上側板部上となるように展開しかつ起立させることにより、前記広告表示面が露出し、かつ起立可能となった前記広告表示形態として簡単に展示することができて便利である。
【００４６】
輸送時形態Ｄ（箱体）とする場合の組立方について説明する。
図４の状態で、板状本体１の輸送時表面（板紙の裏面）を外側として、下部板状部４の表面側の上面において、展開した起立支持体２０を横折り目２４で折り畳んで下部側折り畳み形態物Ｃ（図７参照）を下部板状部４に重ね合わせ、ついで、上部板状部３の表面１Ａを内面側として、横折り目２から下部板状部４を折り返して合わせ（図７参照）、ついで、上部覆い部１１を下部側折り畳み形態物Ｃの上に被せ、さらに、下部側折り畳み形態物Ｃと上部覆い部１１の上に両側の上側板部８ａ、８ｂを縦折り目６ａ、６ｂより折り曲げて被せて箱体（図６参照）とし、上側板部８ａ、８ｂの向かい合わせ端部に沿って粘着テープ１４を貼着して搬送可能な箱体（図５参照）とする。すなわち、前記上部板状部３が底面、両側の縦折り目６ａ、６ｂの厚み形成折り目部７ａ、７ｂが側壁、横折り目９の厚み形成折り目部１０が後壁、横折り目２が前壁の役目となり、上側板部８ａ、８ｂが蓋となって、扁平な輸送時形態Ｄ（箱体）を簡単に組立できる。この輸送時形態（箱体）として搬送、郵送、保管等する。
【００４７】
展示用表示体とする場合の組立方について説明する。
図５に示す粘着テープ１４で止めた輸送時形態Ｄ（箱体）の粘着テープ１４を剥がし（図６参照）、上側板部８ａ、８ｂを両側に開き、上部板状部３の内面に折り畳んだ下部板状部４を起こし（図７、図８参照）、下部板状部４を展開し（図９および図１０参照）、上部覆い部１１を裏面に折り曲げ、その上に上側板部８ａ、８ｂを被せて貼着面１６に接着固定し、ついで下部板状部４に折り畳んである下部側折り畳み形態物Ｃを上部板体３の上側板部８ａ、８ｂ上に展開し、起立支持体２０の基板部２１の上部を上部板体３の上側板部８ａ、８ｂに接着させ（図１１参照）、その後、起立支持体２０の両側の支持側板部２３ａ、２３ｂを縦折り目２２ａ、２２ｂで起立させるとともに支持側板保持部２７Ａ、２７Ｂを折り目より起立させ、かつ支持側板保持部２７Ａ、２７ＢのＶ溝状の嵌合用切込部３３が支持側板部２３ａ、２３ｂの切り抜き穴３６に沿って回動されて直立状とした支持側板保持部２７Ａ、２７Ｂで支持側板部を保持させ、展示用表示体Ａが組み立てられる（図１２、１３参照）。展示用表示体を店舗等に立てて使用される。
【００４８】
この考案は上記実施形態に限定されるものではなく、この考案の要旨を逸脱しない範囲で、種々の形態を実施しうるものである。
【図面の簡単な説明】
【００４９】
【図１】図１は、この考案の展示用表示体を構成する板状本体の展開正面図である。
【図２】図２は、展示用表示体の板状本体の展開背面図である。
【図３】図３は、この考案の展示用表示体を構成する起立支持体の展開背面図である。
【図４】図４は、この考案の展示用表示体の展開背面図である。
【図５】図５は、粘着テープで止めた輸送時形態（箱体）を示す斜視図である。
【図６】図６は、粘着テープを剥がした輸送時形態（箱体）を示す斜視図である。
【図７】図７は、輸送時形態（箱体）の上側板部を両側に開いた状態の斜視図である。
【図８】図８は、起立支持体が折り畳んだ状態にある下部板状部を上部板状部より起こした状態の斜視図である。
【図９】図９は、上部板状部に対して下部板状部を展開し表面側を示す斜視図である。
【図１０】図１０は、上部板状部に対して下部板状部を展開し裏面側を示す斜視図である。
【図１１】図１１は、上部板状部に対して下部板状部を展開し、さらに起立支持体の上部起立支持体を下部起立支持体に対して展開した状態の斜視図である。
【図１２】図１２は、起立支持体の支持側板部に支持側板保持部を係合した状態の斜視図である。
【図１３】図１３は、組み立てた展示用表示体を示す斜視図である。
【符号の説明】
【００５０】
１  板状本体
１Ａ  広告表示面（表側）
１Ｂ  輸送時表面（裏側）
２  横折り目
３  上部板状部
４  下部板状部
５  矩形状板状部
６ａ  縦折り目
６ｂ  縦折り目
７ａ  厚み形成折り目部
７ｂ  厚み形成折り目部
８ａ  上側板部
８ｂ  上側板部
９  横折り目
１０  厚み形成折り目部
１１  上部覆い部
１２ａ  縦折り目
１２ｂ  縦折り目
１３ａ  下側板部
１３ｂ  下側板部
１４  厚み形成折り目部
１５  剥離テープ付き接着面
１６  粘着テープ
２０  起立支持体
２１  基板部
２２ａ  縦折り目
２２ｂ  縦折り目
２３ａ  支持側板部
２３ｂ  支持側板部
２４  横折り目
２５  上部起立支持体
２６  下部起立支持体
２７Ａ  支持側板保持部
２７Ｂ  支持側板保持部
２８Ａ  横折り目
２８Ｂ  横折り目
２９  スリット
３０  スリット
３１スリット
３２  係合部
３３  嵌合用切り込み部
３５  当接板部
３８  剥離テープ付き接着面
Ａ  展示表示体
Ｂ  広告表示形態
Ｃ  下部側折り畳み形態物
Ｄ  輸送時形態
【図１】
0003141377.tif 000003
【図２】
0003141377.tif 000004
【図３】
0003141377.tif 000005
【図４】
0003141377.tif 000006
【図５】
0003141377.tif 000007
【図６】
0003141377.tif 000008
【図７】
0003141377.tif 000009
【図８】
0003141377.tif 000010
【図９】
0003141377.tif 000011
【図１０】
0003141377.tif 000012
【図１１】
0003141377.tif 000013
【図１２】
0003141377.tif 000014
【図１３】
0003141377.tif 000015